(57)【特許請求の範囲】
【請求項１】
有機エレクトロルミネッセンスデバイスであって、順に積層して設けられた第１の電極層と、第１のキャリア機能層と、前記第１のキャリア機能層との間にＰドープ層が設けられる発光層と、及び第２の電極層とを備える有機エレクトロルミネッセンスデバイスであって、
前記発光層は青色光発光層であり、前記第１のキャリア機能層には前記第１のキャリア機能層に前記青色光発光層におけるドープ材料がドープされ、前記Ｐドープ層は前記青色光発光層と直接接触し、
前記Ｐドープ層は、第１の基体材料と、第１のドープ材料とを備え、前記第１のドープ材料はＰドーパントであり、前記Ｐドーパントは、ＮＤＰ-９、ＴＣＮＱ、Ｆ４-ＴＣＮＱ、ＰＰＤＮから選択される少なくとも一種であり、前記Ｐドープ層における前記Ｐドーパントのドープ濃度は０．１ｗｔ％−１０ｗｔ％であることを特徴とする有機エレクトロルミネッセンスデバイス。
【請求項２】
前記第１の基体材料は、前記第１のキャリア機能層の材料と同じであることを特徴とする請求項１に記載の有機エレクトロルミネッセンスデバイス。
【請求項３】
前記Ｐドープ層の厚さは０．５ｎｍ−１０ｎｍである、ことを特徴とする請求項２に記載の有機エレクトロルミネッセンスデバイス。
【請求項４】
前記第１のキャリア機能層は電子ブロック層または正孔輸送層または正孔注入層である、ことを特徴とする請求項１に記載の有機エレクトロルミネッセンスデバイス。
【請求項５】
前記発光層と前記第２の電極層との間に第２のキャリア機能層が設けられ、前記第２のキャリア機能層と前記発光層との間にＮドープ層が設けられる、ことを特徴とする請求項１に記載の有機エレクトロルミネッセンスデバイス。
【請求項６】
前記Ｎドープ層は、前記第２のキャリア機能層材料と同じである第２の基体材料と、Ｎドーパントである第２のドープ材料とを備える、ことを特徴とする請求項５に記載の有機エレクトロルミネッセンスデバイス。
【請求項７】
前記第２のキャリア機能層は正孔ブロック層または電子輸送層または電子注入層である、ことを特徴とする請求項５に記載の有機エレクトロルミネッセンスデバイス。
【請求項８】
有機エレクトロルミネッセンス装置であって、複数の画素ユニットを備え、各前記画素ユニットは、いずれも赤色光サブ画素ユニットと、緑色光サブ画素ユニットと、青色光サブ画素ユニットとを備え、各前記サブ画素ユニットは、いずれも積層して設けられた第１の電極層と、発光層と、及び第２の電極層とを備え、前記赤色光サブ画素ユニット、緑色光サブ画素ユニットと青色光サブ画素ユニットにおける発光層は、それぞれ赤色光発光層、緑色光発光層と青色光発光層であり、
前記青色光サブ画素ユニットは、順に積層して設けられた第１の電極層と、第１のキャリア機能層と、青色光発光層と、及び第２の電極層とを備え、前記青色光サブ画素ユニットの第１のキャリア機能層と青色光発光層との間にＰドープ層が設けられ、
前記発光層は青色光発光層であり、前記第１のキャリア機能層には前記第１のキャリア機能層に前記青色光発光層におけるドープ材料がドープされ、前記Ｐドープ層は前記青色光発光層と直接接触し、
前記Ｐドープ層は、第１の基体材料と、第１のドープ材料とを備え、前記第１のドープ材料はＰドーパントであり、前記Ｐドーパントは、ＮＤＰ-９、ＴＣＮＱ、Ｆ４-ＴＣＮＱ、ＰＰＤＮから選択される少なくとも一種であり、前記Ｐドープ層における前記Ｐドーパントのドープ濃度は０．１ｗｔ％−１０ｗｔ％であることを特徴とする有機エレクトロルミネッセンス装置。
【請求項９】
前記青色光サブ画素ユニットと前記赤色光サブ画素ユニットとの間のオン電圧差は０．２Ｖ以下であり、前記青色光サブ画素ユニットと前記緑色光サブ画素ユニットとの間のオン電圧差は０．２Ｖ以下である、ことを特徴とする請求項８に記載の有機エレクトロルミネッセンス装置。
【発明の詳細な説明】
【技術分野】
【０００１】
本願は、表示技術分野に関し、具体的には、有機エレクトロルミネッセンスデバイス及び有機エレクトロルミネッセンス装置。
【背景技術】
【０００２】
有機エレクトロルミネッセンスディスプレイ（英語で正式名称は、Oｒｇａｎｉｃ  Ｌｉｇｈｔ  Ｅｍｉｔｔｉｎｇ  Ｄｉｓｐｌａｙで、ＯＬＥＤと略称)は自発光表示装置であり、製造プロセスが簡単で、コストが低く、コントラストが高く、視野角が広く、低消費電力などの利点を有するため、次世代のメインフラットパネルディスプレイ技術になる可能性があり、現在フラットパネルディスプレイ技術において最も注目されている技術の１つである。
【０００３】
図１は従来の表示装置におけるＲＧＢ３色サブ画素の電圧−輝度曲線図を示す。図から分かるように、従来のＯＬＥＤディスプレイでは、ＲＧＢ３色サブ画素の点灯電圧は一致しない。具体的には、青色光サブ画素の点灯電圧は、緑色光サブ画素の点灯電圧、赤色光画素の点灯電圧より大きい。実際に使用する時に、青色光サブ画素を点灯する時に、電圧は主に青色光サブ画素の上に跨っており、しかし、共通の正孔注入層の導電性能に優れるため、一部の青色光サブ画素において発生したキャリアは、共通の正孔注入層によって、緑色光サブ画素または／および赤色光サブ画素の中に移動されることができ、赤色光サブ画素と緑色光サブ画素の点灯電圧は小さいので、赤色光サブ画素または／および緑色光サブ画素は同時に点灯されしやすく、すなわち、低階調の場合に、赤色光サブ画素および/または緑色光サブ画素の発光輝度は、厳密に低輝度表示効果の要求に基づいて、低  輝度表示効果に達すことができなく、低階調の色の偏り（赤色がかる）という現象が発生する。
【発明の概要】
【発明が解決しようとする課題】
【０００４】
このため、本願が解決しようとする課題は、従来技術において、ＯＬＥＤ表示は色の偏りが生じりやすいことである。
【課題を解決するための手段】
【０００５】
上記課題を解決するために、本願によれば採用される技術案は以下のとおりである。
【０００６】
本願の実施例は、順に積層して設けられた第１の電極層と、第１のキャリア機能層と、前記第１のキャリア機能層との間にＰドープ層が設けられる発光層と、及び第２の電極層とを備える有機エレクトロルミネッセンスデバイスをを提供する。
【０００７】
あるいは、前記発光層は、青色光発光層であり、前記第１のキャリア機能層は、前記青色光発光層に近く、前記第１のキャリア機能層に青色光発光層における材料がドープされる。
【０００８】
あるいは、前記Ｐドープ層は、前記第１のキャリア機能層の材料と同じである第１の基体材料と、第１のドープ材料とを備える。
【０００９】
あるいは、前記第１のドープ材料はＰドーパントである。
【００１０】
あるいは、前記Ｐドープ層におけるＰドーパントのドープ濃度は０．１ｗｔ％−１０ｗｔ％である。
【００１１】
あるいは、前記Ｐドープ層におけるＰドーパントのドープ濃度は１ｗｔ％−５ｗｔ％である。
【００１２】
あるいは、前記Ｐドープ層の厚さは０．５ｎｍ−１０ｎｍである。
【００１３】
あるいは、前記第１のキャリア機能層は電子ブロック層または正孔輸送層または正孔注入層である。
【００１４】
あるいは、前記発光層と前記第２の電極層との間に第２のキャリア機能層が設けられ、前記第２のキャリア機能層と前記発光層との間にＮドープ層が設けられる。
【００１５】
あるいは、前記Ｎドープ層は、前記第２のキャリア機能層材料と同じである第２の基体材料と、Ｎドーパントである第２のドープ材料とを備える。
【００１６】
あるいは、前記第２のキャリア機能層は正孔ブロック層または電子輸送層または電子注入層である。
【００１７】
あるいは、前記Ｐドープ層は、第１のドープ材料と第１の基体材料によって蒸着して形成され、あるいは、予備混合で第１のドープ材料と第１の基体材料を混合し、さらに、インクジェット印刷プロセスで形成される。
【００１８】
本願の実施例は、行列状に分布した複数の画素ユニットを備える有機エレクトロルミネッセンス装置をさらに提供し、各前記画素ユニットは、いずれも赤色光サブ画素ユニットと、緑色光サブ画素ユニットと、青色光サブ画素ユニットとを備え、各前記サブ画素ユニットは、いずれも積層して設けられた第１の電極層と、発光層と、及び第２の電極層とを備え、前記赤色光サブ画素ユニット、緑色光サブ画素ユニットと青色光サブ画素ユニットにおける発光層は、それぞれ赤色光発光層、緑色光発光層と青色光発光層である。ここで、前記青色光サブ画素ユニットは、順に積層して設けられた第１の電極層と、第１のキャリア機能層と、青色光発光層と、及び第２の電極層とを備え、前記青色光サブ画素ユニットの第１のキャリア機能層と青色光発光層との間にＰドープ層が設けられる。
【００１９】
あるいは、前記青色光サブ画素ユニットと前記赤色光サブ画素ユニットとの間のオン電圧差は０．２Ｖ以下であり、前記青色光サブ画素ユニットと前記緑色光サブ画素ユニットとの間のオン電圧差は０．２Ｖ以下である。
【００２０】
従来技術では、有機エレクトロルミネッセンスデバイスを点灯する過程は、第１の電極層と第２の電極層に一定の駆動電圧を印加することにより、キャリアがポテンシャル障壁を越えて発光層に輸送され、最終的に、発光層で複合発光する。これからわかるように、発光層と第１の電極層及び第２の電極層の間のポテンシャル障壁の大きさは駆動電圧の大きさを决定する一つの要因であり、すなわち、ポテンシャル障壁が大きくなると、これに伴って第１の電極層と第２の電極層に印加される必要がある駆動電圧も大きくなり、逆に、ポテンシャル障壁が小さくなると、これに伴って第１の電極層と第２の電極層に印加される必要がある駆動電圧も小さくなる。
【発明の効果】
【００２１】
本願の技術案は、次のような利点を有する。
【００２２】
本願の実施例に係る有機エレクトロルミネッセンスデバイスは、順に積層して設けられた第１の電極層と、第１のキャリア機能層と、第１のキャリア機能層との間にＰドープ層が設けられる発光層と、及び第２の電極層とを備え、第１のキャリア機能層の設置は、第１の電極層によって提供されるキャリアの発光層への移動度を高めることに寄与し、より高いキャリアの移動度はデバイスの点灯電圧を効果的に低減し、デバイスの発光效率。本願の実施例では、第１のキャリア機能層と発光層との間にさらにＰドープ層が設けられることにより、第１のキャリア機能層と発光層界面のエネルギー準位曲げを変え、両者の界面処の正孔注入ポテンシャル障壁を低減し、該有機エレクトロルミネッセンスデバイスの点灯電圧を低減することができる。
【００２３】
該有機エレクトロルミネッセンスデバイスを具体的に使用する時に、前記有機エレクトロルミネッセンスデバイスと隣接する有機エレクトロルミネッセンスデバイスとの間の点灯電圧差を小さくにすることにより、該発光色の有機エレクトロルミネッセンスデバイスを単独でオンにする時に、発生したキャリアは共通のキャリア機能層によって他の発光色の有機エレクトロルミネッセンスデバイスの中に印加されても、他の有機エレクトロルミネッセンスデバイスを点灯できず、色の偏りという問題を解決し、表示品質を高める。
【００２４】
本願の実施例に係る有機エレクトロルミネッセンスデバイスは、Ｐドープ層は、第１のキャリア機能層の材料と同じである第１の基体材料と、Ｐドーパントである第１のドープ材料とを備える。第１のキャリア機能層材料と同じである材料を第１の基体材料とすることは、第１のキャリア機能層とＰドープ層との間のエネルギー準位マッチング度を高めることに寄与し、第１のキャリア機能層とＰドープ層との間のエネルギー準位差を小さくにし、第１のキャリア機能層とＰドープ層との界面処の注入ポテンシャル障壁を低減する。
【００２５】
本願の実施例に係る有機エレクトロルミネッセンスデバイスは、第１のキャリア機能層は電子ブロック層または正孔輸送層または正孔注入層であり、すなわち、電子ブロック層と発光層との間にＰドープ層を設けてもよく、あるいは正孔輸送層と発光層との間にＰドープ層を設け、あるいは正孔注入層と発光層との間にＰドープ層を設け、選択性が多くて、フレキシビリティが強くて、どのような方式を選択してもいずれも本願の目的を達成できる。
【００２６】
本願の実施例に係る有機エレクトロルミネッセンスデバイスは、発光層と第２の電極層との間に第２のキャリア機能層が設けられ、第２のキャリア機能層と発光層との間にＮドープ層が設けられ、第２のキャリア機能層の設置は、第２の電極層によって提供されるキャリアの発光層への移動度を高めることに寄与し、さらに、デバイスの点灯電圧を低減し、デバイスの発光效率を向上させる。本願の実施例では、第２のキャリア機能層と発光層のと間にさらにＮドープ層が設けられることにより、第２のキャリア機能層と発光層界面のエネルギー準位曲げを変え、両者の界面処の電子注入ポテンシャル障壁を低減し、さらに、該有機エレクトロルミネッセンスデバイスの点灯電圧を低減することができる。
【００２７】
本願の実施例に係る有機エレクトロルミネッセンス装置は、各画素ユニットは、いずれも赤色光サブ画素ユニットと、緑色光サブ画素ユニットと、青色光サブ画素ユニットとを備え、各サブ画素ユニットは、いずれも積層して設けられた第１の電極層と、発光層と及び第２の電極層とを備える。ここで、青色光サブ画素ユニットは、順に積層して設けられた第１の電極層と、第１のキャリア機能層と、青色光発光層と、及び第２の電極層とを備え、青色光サブ画素ユニットにおける第１のキャリア機能層と青色光発光層との間にさらにＰドープ層が設けられる。
【００２８】
従来技術では、一般に、青色光サブ画素ユニットの点灯電圧は赤色光サブ画素ユニットと緑色光サブ画素ユニットとの点灯電圧より大きく、単独で青色光サブ画素ユニットを点灯する時に、駆動電圧は主に青色光サブ画素ユニットの上に跨るが、発生したキャリアは共通のキャリア機能層によって緑色光または／および赤色光サブ画素ユニットの中に印加されることができ、緑色光または／および赤色光サブ画素ユニットの点灯電圧は比較的低いし、点灯されやすく、従って、色の偏りという問題を招く可能性がある。
【００２９】
これに対して、本願の上述した技術案において、青色光サブ画素ユニットにおける第１のキャリア機能層と発光層との間にＰドープ層が設けられることは、第１のキャリア機能層と発光層界面のエネルギー準位曲げを変えることに寄与し、両者の界面処の正孔注入ポテンシャル障壁を低減することによって、青色光サブ画素ユニットの点灯電圧を効果的に低減し、さらに、青色光サブ画素ユニットと赤色光、緑色光サブ画素ユニットとの間の点灯電圧差を小さくにし、単独で青色光サブ画素ユニットオンにする時に、一部のキャリアは共通のキャリア機能層によって赤色光と緑色光サブ画素ユニットの中に移動されても、赤色光と緑色光サブ画素ユニットを点灯することができなくて、色の偏り問題を解決し、表示品質を高める。
【図面の簡単な説明】
【００３０】
本願の具体的な実施形態または従来技術における技術案をより明確に説明するために、以下、実施形態または従来技術では参照する必要がある図面について簡単に紹介し、明らかに、以下の説明した図面は本発明のいくつかの実施形態を示し、当業者にとって創造的な労力をしない前提で、これらの図面に基づいて他の図面を得ることができる。
【００３１】
【図１】画素並置方法のフルカラー表示装置におけるＲＧＢ３色サブ画素の電圧−輝度曲線図である。
【図２】本願の実施例に係る有機エレクトロルミネッセンスデバイスの構成概略図である。
【図３】本願の実施例に係る有機エレクトロルミネッセンス装置の構成概略図である。
【発明を実施するための形態】
【００３２】
以下、図面を参照して、本願の技術案を明確で完全に説明し、明らかに、説明した実施例は本願の一部の実施例であり、全ての実施例ではない。本願における実施例に基づいて、当業者は創造的な労力をしない前提で想到し得る他の実施例はいずれも本願の技術的範囲に属するものである。
【００３３】
なお、本出願の説明において、用語「中心」、「上」、「下」、「左」、「右」、「縦」、「横」、「内」、[外]などの指示された方位または位置関係は図面に示すとおりであり、本出願の説明及び簡略化のためにすぎなく、指示された装置または素子は特定の方位を有し、特定の方位の構成で操作しなければならないことを指示または啓示しなく、したがって、本出願についての制限と理解されるすべきではない。また、「第１の」、「第２の」の用語は、説明のためのものにすぎなく、相対的な重要性を指示又は示唆するものと理解されるすべきではない。
【００３４】
なお、本出願の説明において、特に明確な規定及び限定を有しない限り、用語「取り付ける」、「繋がる」、「接続」は広義に理解すべきであり、例えば、固定接続であってもよく、着脱可能な接続であってもよく、または一体的に接続されてもよく、機械的に接続されてもよく、電気的に接続されてもよく、直接繋がられてもよく、中間媒体を介して間接的に繋がられてもよく、また二つの素子の内部の繋がりであってもよく、無線で接続されてもよく、有線で接続されてもよい。当業者にとって、具体的な状況に応じて、上述した用語の本出願における具体的な意味を理解することができる。
【００３５】
また、以下、説明した本実施形態に係る技術的特徴は、相互に矛盾しない限り、相互に組み合わせることが可能である。
実施例１
【００３６】
本願の実施例は、有機エレクトロルミネッセンスデバイスを提供し、図２に示すように、積層して設けられた第１の電極層１と、第１のキャリア機能層２と、発光層４及び第２の電極層７とを備え、第１の電極層１は陽極であり、第２の電極層７は陰極であり、あるいは第１の電極層１は陰極であり、第２の電極層７は陽極である。以下、第１の電極層１を陽極とし、第２の電極層７を陰極とすることを例に挙げると説明する。
【００３７】
従来技術では、有機エレクトロルミネッセンスデバイスを点灯する過程は、第１の電極層１と第２の電極層７に一定の駆動電圧を印加し、キャリアがポテンシャル障壁を越えて発光層４に輸送され、最終的に、発光層４で複合発光する。これからわかるように、発光層４と第１の電極層１及び第２の電極層７の間のポテンシャル障壁の大きさは駆動電圧の大きさを决定する一つの要因であり、すなわち、ポテンシャル障壁が大きくなると、これに伴って第１の電極層１と第２の電極層７に印加される必要がある駆動電圧も大きくなり、逆に、ポテンシャル障壁が小さくなると、これに伴って第１の電極層と第２の電極層７に印加される必要がある駆動電圧も小さくなる。
【００３８】
本実施例では、第１のキャリア機能層２の設置は、第１の電極層によって提供されるキャリアの発光層４への移動度を高めることに寄与し、より高いキャリアの移動度はデバイスの点灯電圧を効果的に低減し、デバイスの発光效率を向上させる。ここで、第１の電極層１は陽極であり、すなわち、第１のキャリア機能層２は正孔の移動度を高める。
【００３９】
また、本実施例では、第１のキャリア機能層２と発光層４との間にさらにＰドープ層３が設けられることによって、第１のキャリア機能層２と発光層４界面のエネルギー準位曲げを変え、両者の界面処の正孔注入ポテンシャル障壁を低減し、効果的に該有機エレクトロルミネッセンスデバイスの点灯電圧を低減することができる。
【００４０】
該有機エレクトロルミネッセンスデバイスを具体的に使用する時に、前記有機エレクトロルミネッセンスデバイスと隣接する有機エレクトロルミネッセンスデバイスとの間の点灯電圧差を小さくにすることにより、該発光色の有機エレクトロルミネッセンスデバイスを単独でオンにする時に、発生したキャリアは共通のキャリア機能層によって他の発光色の有機エレクトロルミネッセンスデバイスの中に印加されても、他の有機エレクトロルミネッセンスデバイスを点灯できず、色の偏りという問題を解決し、表示品質を高める。
【００４１】
好ましくは、前記有機エレクトロルミネッセンスデバイスにおける発光層４は青色光発光層である。
【００４２】
一般に、青色光有機エレクトロルミネッセンスデバイスの点灯電圧は赤色光有機エレクトロルミネッセンスデバイスと緑色光有機エレクトロルミネッセンスデバイスの点灯電圧より大きく、単独で青色光有機エレクトロルミネッセンスデバイスを点灯する時に、駆動電圧は主に跨在青色光有機エレクトロルミネッセンスデバイスの上に跨るが、一部のキャリアは共通のキャリア機能層によって隣接する緑色光または／および赤色光有機エレクトロルミネッセンスデバイスの中に移動されることができ、緑色光または／および赤色光有機エレクトロルミネッセンスデバイスの点灯電圧は比較的低いし、点灯されるに足り、従って、色の偏りという問題を招く可能性がある。
【００４３】
本実施例では、発光層４を青色光発光層に設け、すなわち、該デバイスは青色光有機エレクトロルミネッセンスデバイスに属し、すなわち、青色光発光層に近いのキャリア機能層に青色光発光層における材料がドープされ、青色光発光層のエネルギー準位と青色光発光層に近いキャリア機能層のエネルギー準位との間のマッチング度を高め、両者の間のエネルギー準位差を小さくにし、キャリアの注入ポテンシャル障壁を低減することにより、効果的に青色光有機エレクトロルミネッセンスデバイスの点灯電圧を低減する。
【００４４】
実際に使用する時に、青色光有機エレクトロルミネッセンスデバイスと赤色光、緑色光有機エレクトロルミネッセンスデバイスとの間の点灯電圧差小さくにし、さらに、単独で青色光有機エレクトロルミネッセンスデバイスをオンにする時に、一部のキャリアは共通のキャリア機能層によって赤色光と緑色光有機エレクトロルミネッセンスデバイスの中に移動されも、赤色光と緑色光有機エレクトロルミネッセンスデバイスを点灯するに足りなく、色の偏りという問題を解決し、表示品質を高める。
【００４５】
本実施例では、選択的な一実施形態として、Ｐドープ層３は、第１のキャリア機能層２の材料と同じである第１の基体材料３１と、Ｐドーパントである第１のドープ材料３２と備える。第１のキャリア機能層２の材料と同じであるの材料を第１の基体材料３１とすることは、第１のキャリア機能層２とＰドープ層３との間のエネルギー準位マッチング度を高めることに寄与し、第１のキャリア機能層２とＰドープ層３との間のエネルギー準位差を小さくにし、第１のキャリア機能層２とＰドープ層３との界面処の注入ポテンシャル障壁を低減する。
【００４６】
なお、製造過程において、共蒸着の方式で第１のドープ材料と第１の基体材料を共に蒸着し、Ｐドープ層を形成してもよく、予備混合の方式で第１のドープ材料と第１の基体材料を予備混合し、そして、インクジェット印刷プロセスでＰドープ層を形成する。
【００４７】
本実施例では、Ｐドーパントは、ＮＤＰ−９、ＴＣＮＱ、Ｆ４−ＴＣＮＱ、ＰＰＤＮなどから選択される少なくとも一種であってもよい。
【００４８】
本実施例では、選択的な一実施形態として、Ｐドープ層３におけるＰドーパントのドープ濃度は０．１ｗｔ％−１０ｗｔ％であり、より好ましくは、１ｗｔ％−５ｗｔ％であり、すなわち、ＰドーパントのＰドープ層３におけるドープ割合を調節することで、第１のキャリア機能層２と発光層４との界面処のポテンシャル障壁を調節し、さらに該有機エレクトロルミネッセンスデバイスの点灯電圧を調節する。
【００４９】
本実施例では、選択的な一実施形態として、Ｐドープ層３の厚さは０．５ｎｍ−１０ｎｍである。
【００５０】
本実施例では、選択的な一実施形態として、第１のキャリア機能層２は電子ブロック層または正孔輸送層または正孔注入層であり、すなわち、電子ブロック層と発光層４との間にＰドープ層３が設けてもよく、あるいは、正孔輸送層と発光層４との間にＰドープ層３が設けられ、あるいは、正孔注入層と発光層４との間にＰドープ層３が設けられ、選択性が多くて、フレキシビリティが強くて、どのような方式を選択してもいずれも本願の目的を達成できる。本実施例では、第１のキャリア機能層２は電子ブロック層であることが好ましい。
【００５１】
本実施例では、選択的な一実施形態として、発光層４と第２の電極層７との間に第２のキャリア機能層６が設けられ、第２のキャリア機能層６と発光層４との間にＮドープ層５が設けられる。
【００５２】
第２のキャリア機能層６の設置は、第２の電極層７によって提供されるキャリアの発光層４への移動度を高めることに寄与し、さらに、デバイスの点灯電圧を低減し、デバイスの発光效率を向上させる。
【００５３】
本願の実施例では、第２のキャリア機能層６と発光層４との間にさらにＮドープ層５が設けられることにより、第２のキャリア機能層６と発光層４との界面のエネルギー準位曲げを変え、両者の界面処の電子注入ポテンシャル障壁を低減し、さらに、該有機エレクトロルミネッセンスデバイスの点灯電圧を低減する。
【００５４】
本実施例では、選択的な一実施形態として、Ｎドープ層５は、第２のキャリア機能層６の材料と同じである第２の基体材料５１と、Ｎドーパントである第２のドープ材料５２備える。第２のキャリア機能層６材料と同じである材料を第２の基体材料５１とすることは、第２のキャリア機能層６とＮドープ層５との間のエネルギー準位マッチング度を高めることに寄与し、第２のキャリア機能層６とＮドープ層５との間のエネルギー準位差を小さくにし、第２のキャリア機能層６とＮドープ層５との界面処の注入ポテンシャル障壁を低減する。
【００５５】
なお、製造過程において、共蒸着の方式で第２のドープ材料と第２の基体材料を共に蒸着し、Ｎドープ層を形成してもよく。予備混合の方式で第２のドープ材料と第２の基体材料を予備混合し、そして、インクジェット印刷プロセスでＮドープ層を形成する。
【００５６】
本実施例では、ＮドーパントはＮＴＣＤＡ、ＰＴＣＤＡ、ＬｉＦ、Ｌｉ、Ｃs、Ｃs２Ｃ〇３、Ｌｉ２Ｃ〇３から選択される少なくとも一種であってもよい。
実施例２
【００５７】
本願の実施例は有機エレクトロルミネッセンス装置をさらに提供し、行列状に分布した複数の画素ユニットを備え、図３に示すように、各画素ユニットは、いずれも赤色光サブ画素ユニット８と、緑色光サブ画素ユニット９と、青色光サブ画素ユニット１０とを備え、各サブ画素ユニットは、いずれも積層して設けられた第１の電極層１と、発光層４と、及び第２の電極層７と備え、赤色光サブ画素ユニット８、緑色光サブ画素ユニット９と青色光サブ画素ユニット１０における発光層４はそれぞれ赤色光発光層、緑色光発光層と青色光発光層である。
【００５８】
ここで、青色光サブ画素ユニット１０は、順に積層して設けられた第１の電極層１と、第１のキャリア機能層２と、青色光発光層及び第２の電極層７備え、該青色光サブ画素ユニット１０の第１のキャリア機能層２と青色光発光層の間にＰドープ層３がさらに設けられる。
【００５９】
一般に、青色光サブ画素ユニット１０の点灯電圧は、赤色光サブ画素ユニット８と緑色光サブ画素ユニット９の点灯電圧より大きく、単独で青色光サブ画素ユニット１０を点灯する時に、駆動電圧は主に青色光サブ画素ユニット１０の上に跨るが、発生したキャリアは共通のキャリア機能層によって緑色光または／および赤色光サブ画素ユニット８の中に印加されることができ、緑色光または／および赤色光サブ画素ユニット８の点灯電圧は比較的低いし、点灯されやすく、すなわち、色の偏りという問題を招いてしまう。
【００６０】
青色光サブ画素ユニット１０における第１のキャリア機能層２と発光層４との間にＰドープ層３が設けられることは、第１のキャリア機能層２と発光層４界面とのエネルギー準位曲げを変えることに寄与し、両者の界面処の正孔注入ポテンシャル障壁を低減することにより、効果的に青色光サブ画素ユニット１０の点灯電圧を低減する。さらに、青色光サブ画素ユニット１０と赤色光、緑色光サブ画素ユニット９との間の点灯電圧差を小さくにし、単独で青色光サブ画素ユニット１０をオンにする時に、一部のキャリアは共通のキャリア機能層によって赤色光と緑色光サブ画素ユニットの中に移動されても、赤色光と緑色光サブ画素ユニット９を点灯するに足りなく、色の偏りという問題を解決し、表示品質を高める。
【００６１】
本実施例では、選択的な一実施形態として、青色光サブ画素ユニット１０と赤色光サブ画素ユニット８、緑色光サブ画素ユニット９との間のオン電圧差は０．２Ｖ以下である。これにより、3種類の発光色のサブ画素ユニットの間のオン電圧差は十分に小さく、青色光サブ画素ユニット１０を点灯する時に、赤色光サブ画素ユニット８と緑色光サブ画素ユニット９は点灯されないことを確保し、色の偏りという問題を解決し、表示品質を高める。
実施例３
【００６２】
本願の実施例は具体的な有機エレクトロルミネッセンス装置を提供し、行列状に分布した複数の画素ユニットを備え、各画素ユニットは、いずれも赤色光サブ画素ユニット８と、緑色光サブ画素ユニット９と、青色光サブ画素ユニット１０とを備える。
【００６３】
各サブ画素ユニットは、いずれも積層して設けられた第１の電極層１(陽極）と、第１のキャリア機能層２(電子ブロック層）と、発光層４と、第２のキャリア機能層６(正孔ブロック層）と、及び第２の電極層７(陰極）とを備え、赤色光サブ画素ユニット８、緑色光サブ画素ユニット９と青色光サブ画素ユニット１０における発光層４はそれぞれ赤色光発光層、緑色光発光層と青色光発光層である。
【００６４】
ここで、青色光サブ画素ユニット１０における電子ブロック層と青色光発光層との間にＰドープ層３が設けられる。Ｐドープ層３は第１の基体材料ＴＰＤとＰドーパントＮＤＰ−９と備え、Ｐドープ層３におけるＰドーパントのドープ濃度は５ｗｔ％であり、Ｐドープ層３の厚さは６ｎｍである。
【００６５】
青色光サブ画素ユニット１０のデバイスの構成は、
ＩＴO(１００ｎｍ)/ＴＰＤ(５ｎｍ)/ＴＰＤ:ＮＤＰ−９（５％、６ｎｍ)/ＣＢＰ:ＢＣzＶＢＩ(３％、３０ｎｍ)/ＮＰＢ(５ｎｍ)/Ｍｇ:Ａｇ(２０％、１５ｎｍ)である。
実施例４
【００６６】
本願の実施例は具体的な有機エレクトロルミネッセンス装置を提供し、実施例３において記載した有機エレクトロルミネッセンス装置と基本的に同じであり、唯一の区別は、Ｐドープ層３におけるＰドーパントのドープ濃度は１ｗｔ％であることにある。
実施例５
【００６７】
本願の実施例は具体的な有機エレクトロルミネッセンス装置を提供し、実施例３において記載した有機エレクトロルミネッセンス装置と基本的に同じであり、唯一の区別は、Ｐドープ層３におけるＰドーパントのドープ濃度は１０ｗｔ％であることにある。
実施例６
【００６８】
本願の実施例は具体的な有機エレクトロルミネッセンス装置を提供し、実施例３において記載した有機エレクトロルミネッセンス装置と基本的に同じであり、唯一の区別は、Ｐドープ層３の厚さは１ｎｍであることにある。
実施例７
【００６９】
本願の実施例は具体的な有機エレクトロルミネッセンス装置を提供し、実施例３において記載した有機エレクトロルミネッセンス装置と基本的に同じであり、唯一の区別は、Ｐドープ層３の厚さは１０ｎｍであることにある。
比較例１
【００７０】
本願の比較例は具体的な有機エレクトロルミネッセンス装置を提供し、実施例３において記載した有機エレクトロルミネッセンス装置と基本的に同じであり、唯一の区別は、Ｐドープ層３における第１の基体材料３１はＮＰＢであることにある。
比較例２
【００７１】
本願の比較例提供し一種具体の有機エレクトロルミネッセンス装置、実施例３において記載した有機エレクトロルミネッセンス装置と基本的に同じであり、唯一の区別は、Ｐドープ層３におけるＰドーパントのドープ濃度は１５ｗｔ％であることにある。
比較例３
【００７２】
本願の比較例提供し一種具体の有機エレクトロルミネッセンス装置、実施例３において記載した有機エレクトロルミネッセンス装置と基本的に同じであり、唯一の区別は、Ｐドープ層３の厚さは２０ｎｍであることにある。
比較例４
【００７３】
本願の比較例は具体的な有機エレクトロルミネッセンス装置を提供し、実施例３において記載した有機エレクトロルミネッセンス装置と基本的に同じであり、唯一の区別は、青色光サブ画素ユニット１０における電子ブロック層と発光層４との間にＰドープ層３が含まれなく、本実施例では、青色光サブ画素ユニット１０のデバイスの構成はＩＴO(１００ｎｍ)/ＴＰＤ(５ｎｍ)/ＣＢＰ:ＢＣzＶＢＩ(３％、３０ｎｍ)/ＮＰＢ(５ｎｍ)/Ｍｇ:Ａｇ(２０％、１５ｎｍ)であることにある。
前記実施例３−７と比較例１−４を試験を行い、試験結果をを比較し、以下の表に示すように、
【表１】
0006909926.tif 000002
【００７４】
前記試験のデータによると、本願に係る有機エレクトロルミネッセンス装置は青色光サブ画素ユニットにおける第１のキャリア機能層と発光層との間にＰドープ層が設けられることは、第１のキャリア機能層と発光層界面のエネルギー準位曲げを変えることに寄与し、両者の界面処の正孔注入ポテンシャル障壁を低減することにより、効果的に青色光サブ画素ユニットの点灯電圧を低減する。さらに、青色光サブ画素ユニットと赤色光、緑色光サブ画素ユニットとの間の点灯電圧差を小さくにし、単独で青色光サブ画素ユニット際をオンにするに、一部のキャリアは共通のキャリア機能層によって赤色光と緑色光サブ画素ユニットの中に移動されても、赤色光と緑色光サブ画素ユニットを点灯するに足りなく、色の偏りという問題を解決し、表示品質を高める。
【００７５】
明らかに、上述した実施例は明確に説明するための例示にすぎず、実施形態を限定するものではない。所属分野の一般的な技術者にとって、上述した説明に基づいて、その他の異なる形式の変化又は変更を行うことができる。ここでは、必ずしもすべての実施形態を挙げる必要はない。これによって派生した明らかな変化又は変更は、依然として本願の保護範囲内にある。
【図１】
0006909926.tif 000003
【図２】
0006909926.tif 000004
【図３】
0006909926.tif 000005